(57)【要約】【課題】第１および第２の２つの操作ノブを備えたものでありながら、見掛け上、操作ノブを一つにすることができるパワーシートスイッチの操作装置を提供する。【解決手段】シート前後用操作子３と座部前部上下用操作子４と座部後部上下用操作子５を操作するための１個の第１の操作ノブ１０と、背もたれ部角度調整用操作子６を操作するための第２の操作ノブ１６とを備える。第１の操作ノブ１０に、第２の操作ノブを収容可能な収容部１４を設ける。第２の操作ノブ１６は、一端部を第１の操作ノブ１０に連結部１９を介して回動可能に連結し、他端部に嵌合穴２０を有する。第２の操作ノブ１６は、収容部１４に収容される退避位置と、嵌合穴２０を背もたれ部角度調整用操作子６に嵌合させた使用位置との間で移動可能に設け、使用位置で連結部１９を支点にして背もたれ部角度調整用操作子６の操作が可能な構成とする。【選択図】図１
2011255756.tif 000002
【特許請求の範囲】
【請求項１】
シートを前後方向に移動させるためのシート前後用操作子と、前記シートの座部の前部を上下調整するための座部前部上下用操作子と、前記シートの座部の後部を上下調整するための座部後部上下用操作子と、前記シートの背もたれ部の前後方向の角度調整をするための背もたれ部角度調整用操作子を備えたパワーシートスイッチの操作装置であって、
前記シート前後用操作子と前記座部前部上下用操作子と前記座部後部上下用操作子を操作するための１個の第１の操作ノブと、
前記背もたれ部角度調整用操作子を操作するための第２の操作ノブとを備え、
前記第１の操作ノブには、前記第２の操作ノブを収容可能な収容部が設けられ、
前記第２の操作ノブは、一端部が前記第１の操作ノブに連結部を介して回動可能に連結されるとともに他端部に嵌合部を有していて、前記収容部に収容される退避位置と前記嵌合部を前記背もたれ部角度調整用操作子に嵌合させた使用位置との間で移動可能に設けられ、前記使用位置で前記連結部を支点にして前記背もたれ部角度調整用操作子の操作が可能な構成であることを特徴とするパワーシートスイッチの操作装置。
【発明の詳細な説明】
【技術分野】
【０００１】
本発明は、パワーシートスイッチの操作装置に関する。
【背景技術】
【０００２】
従来、自動車（車両）におけるパワーシートスイッチの操作装置としては、第１および第２の２つの操作ノブを備えている。そのうちの第１の操作ノブは、シートを前後方向に移動させるためのシート前後用操作子と、シートの座部の前部を上下調整するための座部前部上下用操作子と、シートの座部の後部を上下調整するための座部後部上下用操作子とを操作可能な構成となっている。また、第２の操作ノブは、前記シートの背もたれ部の前後方向の角度調整をするための背もたれ部角度調整用操作子を操作可能な構成となっている（例えば、特許文献１の図８参照）。
【先行技術文献】
【特許文献】
【０００３】
【特許文献１】特開２００２−１４４９３７号公報
【発明の概要】
【発明が解決しようとする課題】
【０００４】
従来構成のものでは、第１の操作ノブと第２の操作ノブは独立していて、使用しない状態であっても、操作ノブは２個独立して存在している。
そこで、本発明は、第１および第２の２つの操作ノブを備えたものでありながら、見掛け上、操作ノブを一つにすることができるパワーシートスイッチの操作装置を提供することを目的とする。
【課題を解決するための手段】
【０００５】
上記した目的を達成するために、本発明は、シートを前後方向に移動させるためのシート前後用操作子と、前記シートの座部の前部を上下調整するための座部前部上下用操作子と、前記シートの座部の後部を上下調整するための座部後部上下用操作子と、前記シートの背もたれ部の前後方向の角度調整をするための背もたれ部角度調整用操作子を備えたパワーシートスイッチの操作装置であって、
前記シート前後用操作子と前記座部前部上下用操作子と前記座部後部上下用操作子を操作するための１個の第１の操作ノブと、
前記背もたれ部角度調整用操作子を操作するための第２の操作ノブとを備え、
前記第１の操作ノブには、前記第２の操作ノブを収容可能な収容部が設けられ、
前記第２の操作ノブは、一端部が前記第１の操作ノブに連結部を介して回動可能に連結されるとともに他端部に嵌合部を有していて、前記収容部に収容される退避位置と前記嵌合部を前記背もたれ部角度調整用操作子に嵌合させた使用位置との間で移動可能に設けられ、前記使用位置で前記連結部を支点にして前記背もたれ部角度調整用操作子の操作が可能な構成であることを特徴とする。
【０００６】
上記構成において、第１の操作ノブのみ操作する場合には、第２の操作ノブは退避位置に位置させ、第１の操作ノブの収容部に収容した形態とする。第２の操作ノブを使用する場合には、第２の操作ノブを前記収容部から出して使用位置に位置させる。使用位置では、第２の操作ノブの嵌合部を背もたれ部角度調整用操作子に嵌合させる。この状態で、第２の操作ノブを、連結部を支点に回動させることで、背もたれ部角度調整用操作子を操作することができる。
【発明の効果】
【０００７】
本発明によれば、第１および第２の２つの操作ノブを備えたものでありながら、第２の操作ノブを退避位置に位置させた状態では、第２の操作ノブは第１の操作ノブの収容部に収容された形態となり、見掛け上、操作ノブを一つにすることができる。
【図面の簡単な説明】
【０００８】
【図１】本発明の一実施形態を、第２の操作ノブを退避位置に位置させた状態で示したものであり、（ａ）は正面図、（ｂ）は底面図、（ｃ）は左側面図
【図２】図１（ａ）中、Ｘ１−Ｘ１線に沿って示す横断底面図
【図３】第２の操作ノブを使用位置に位置させた状態を示したものであり、（ａ）は正面図、（ｂ）は底面図、（ｃ）は左側面図
【発明を実施するための形態】
【０００９】
以下、本発明の一実施形態について図面を参照して説明する。まず、図１および図２において、パワーシートスイッチのスイッチ本体１のスイッチケース２は、矩形箱状に構成されている。このスイッチケース２の正面下部には、シート前後用操作子３と、座部前部上下用操作子４と、座部後部上下用操作子５が設けられ、正面上部の左部に背もたれ部角度調整用操作子６が設けられている。これら４本の各操作子３〜６は、それぞれ円柱状をなしていて、正面前方に突出している。
【００１０】
正面下部の３本の操作子３〜５は、左右方向に１列状に並んでいる。そのうちのシート前後用操作子３は、左右方向の中央部に位置している。このシート前後用操作子３は、図示しないシートを前後方向に移動させるためのシート前後用スイッチ（図示せず）を操作するためのものであり、図１に矢印Ａ１で示すように、図１中左右方向に移動可能とされている。座部前部上下用操作子４は、シート前後用操作子３の右側に位置している。この座部前部上下用操作子４は、前記シートにおける座部の前部を上下調整するための座部前部上下用スイッチ（図示せず）を操作するためのものであり、図１に矢印Ａ２で示すように、図１中上下方向に移動可能とされている。座部後部上下用操作子５は、シート前後用操作子３の左側に位置している。この座部後部上下用操作子５は、前記シートにおける座部の後部を上下調整するための座部後部上下用スイッチ（図示せず）を操作するためのものであり、図１に矢印Ａ３で示すように、図１中上下方向に移動可能とされている。
【００１１】
また、前記背もたれ部角度調整用操作子６は、前記座部後部上下用操作子５の左斜め上方に位置している。この背もたれ部角度調整用操作子６は、前記シートにおける背もたれ部の前後方向の角度調整をするための背もたれ部角度調整用スイッチ（図示せず）を操作するためのものであり、図１に矢印Ａ４で示すように、図１中左右方向に移動可能とされている。
【００１２】
そして、前記シート前後用操作子３と、座部前部上下用操作子４と、座部後部上下用操作子５の前部には、１個の第１の操作ノブ１０が抜止め状態に設けられている。この第１の操作ノブ１０は、左右方向に長い矩形状をなしていて、裏側に、シート前後用操作子３を左右両側から挟むようにして対向する一対のリブ１１と、座部前部上下用操作子４を上下両側から挟むようにして対向する一対のリブ１２（図２には上側のリブ１２のみ示す）と、座部後部上下用操作子５を上下両側から挟むようにして対向する一対のリブ１３（これも図２には上側のリブ１３のみ示す）が設けられている。
【００１３】
第１の操作ノブ１０の前面部には、凹状の収容部１４が設けられている。この収容部１４は、第１の操作ノブ１０の長手方向である左右方向に長く形成されていて、前面に前面開口部１４ａが、左側面に左側面開口部１４ｂが、左上部に左上部開口部１４ｃがそれぞれ形成されている。第１の操作ノブ１０には、収容部１４の左の端部寄りに位置させて、第１の回転軸１５が設けられている。この第１の回転軸１５は、これの軸方向が第１の操作ノブ１０の厚さ方向である前後方向（図２では上下方向）に向けられていて、その軸線周りに回転可能となっている。
【００１４】
前記収容部１４には、第２の操作ノブ１６が出し入れ可能に収容されるようになっている。この第２の操作ノブ１６は、第１の操作ノブ１０よりも一回り小さい矩形板状をなしている。第２の操作ノブ１６は、一端部である左端部に一対のアーム部１７を一体に有していて、これら一対のアーム部１７が、第２の回転軸１８を介して前記第１の回転軸１５に回転可能に取り付けられている。第２の回転軸１８の軸方向は第１の回転軸１５の軸方向と直交していて、第２の回転軸１８は、第１の回転軸１５を当該第１の回転軸１５の径方向から貫通している。また、第２の回転軸１８は、第２の操作ノブ１６の厚さ方向において当該第２の操作ノブ１６の厚さ方向の中心よりも一面１６ａ（図１の正面、図２の上面）側に位置が少しずれている。
【００１５】
この場合、第２の操作ノブ１６は、第２の回転軸１８を中心にして、収容部１４から抜け出て起立する方向（図２の二点鎖線参照）と、倒れる方向に回動が可能であり（図２の矢印Ｂ１参照）、しかも、第１の回転軸１５を中心にしてこれの軸周り方向に回動が可能とされている（図２の矢印Ｂ２参照）。ここで、第１の回転軸１５と第２の回転軸１８は連結部１９を構成していて、第２の操作ノブ１６は、一端部がその連結部１９を介して第１の操作ノブ１０に回動可能に連結されている。
【００１６】
第２の操作ノブ１６の一面１６ａ（図１の正面、図２の上面）おいて、一端部であるアーム部１７とは反対側の他端部寄りに位置させて、嵌合部を構成する嵌合穴２０が形成されている。この嵌合穴２０は、前記背もたれ部角度調整用操作子６の先端部に着脱可能に嵌合する構成となっている。この場合、第１の回転軸１５の中心から嵌合穴２０の中心までの距離Ｌ１は、第１の回転軸１５の中心から背もたれ部角度調整用操作子６の先端部の中心までの距離Ｌ２と等しくなるように構成されている。そして、第２の操作ノブ１６は、図１および図２に示すように、収容部１４に収容した退避位置と、図３に示すように、嵌合穴１６を背もたれ部角度調整用操作子６の先端部に嵌合させた使用位置との間で移動可能な構成となっている。
【００１７】
上記構成の作用を説明する。
パワーシートスイッチを使用しない場合には、第２の操作ノブ１６は、図１及び図２に示すように、第１の操作ノブ１０の収容部１４内に収容した退避位置に位置させておく。
この状態で、シート全体を前方または後方へ移動させる場合には、第１の操作ノブ１０を、第２の操作ノブ１６ごと図１の矢印Ａ１方向へスライド操作する。すると、第１の操作ノブ１０の裏側のリブ１１によりシート前後用操作子３が同方向へ移動操作され、これによりシート前後用スイッチが操作され、そのスイッチが操作されている間、シート全体が前方または後方へ移動される。第１の操作ノブ１０に対する操作力を解除すると、シート前後用操作子３および第１の操作ノブ１０は元の位置に戻される。このとき、第１の操作ノブ１０を矢印Ａ１方向へ移動操作しても、座部前部上下用操作子４および座部後部上下用操作子５は、操作されず、元の位置のままである。
【００１８】
シートの前部を上下調整する場合には、第１の操作ノブ１０の右部を、第２の操作ノブ１６ごと図１の矢印Ａ２方向へ操作する。すると、第１の操作ノブ１０の裏側のリブ１２により座部前部上下用操作子４が同方向へ移動操作され、これにより座部前部上下用スイッチが操作され、そのスイッチが操作されている間、シートにおける座部の前部が上方または下方へ移動される。第１の操作ノブ１０に対する操作力を解除すると、座部前部上下用操作子４および第１の操作ノブ１０は元の位置に戻される。このとき、第１の操作ノブ１０の右部を矢印Ａ２方向へ操作しても、シート前後用操作子３および座部後部上下用操作子５は、操作されず、元の位置のままである。
【００１９】
シートの後部を上下調整する場合には、第１の操作ノブ１０の左部を、第２の操作ノブ１６ごと図１の矢印Ａ３方向へ操作する。すると、第１の操作ノブ１０の裏側のリブ１３により座部後部上下用操作子５が同方向へ移動操作され、これにより座部後部上下用スイッチが操作され、そのスイッチが操作されている間、シートにおける座部の後部が上方または下方へ移動される。第１の操作ノブ１０に対する操作力を解除すると、座部後部上下用操作子５および第１の操作ノブ１０は元の位置に戻される。このとき、第１の操作ノブ１０の左部を矢印Ａ３方向へ操作しても、シート前後用操作子３および座部前部上下用操作子４は、操作されず、元の位置のままである。
【００２０】
一方、シートにおける背もたれ部の前後方向の角度調整をする場合には、まず、退避位置に位置された第２の操作ノブ１６に手の指を掛け、その第２の操作ノブ１６を、第２の回転軸１８を支点にして起立方向へ回動させる（図２の二点鎖線参照）。これにより、第２の操作ノブ１６は、収容部１４から抜け出た状態となる。そして、その第２の操作ノブ１６を、第１の回転軸１５を中心に矢印Ｂ２方向へ回動させ、嵌合穴２０が形成されている一面１６ａを、背もたれ部角度調整用操作子６に対応するように向けるとともに、第２の操作ノブ１６を、第２の回転軸１８を支点にして背もたれ部角度調整用操作子６側に倒すように回動させ、嵌合穴２０を背もたれ部角度調整用操作子６の先端部に嵌合させる。これにより、第２の操作ノブ１６は、図３に示す使用位置に位置された状態となる。
【００２１】
このとき、第２の回転軸１８の位置が、第２の操作ノブ１６の厚さ方向において一面１６ａ側にずれているので、第２の操作ノブ１６は、第１の操作ノブ１０の収容部１４から前方へ少し突出した状態となる（図３の（ｂ），（ｃ）参照）。
【００２２】
この状態で、第２の操作ノブ１６の上部を、図３の矢印Ａ４方向へ操作すると、第２の操作ノブ１６は、第１の回転軸１５を中心に同方向に回動される。すると、嵌合穴２０の周縁部を介して背もたれ部角度調整用操作子６が同方向へ移動操作され、これにより背もたれ部角度調整用スイッチが操作され、そのスイッチが操作されている間、背もたれ部が前方または後方へ回動される。第２の操作ノブ１６に対する操作力を解除すると、背もたれ部角度調整用操作子６および第２の操作ノブ１６は元の位置に戻される。このとき、第２の操作ノブ１６を矢印Ａ４方向へ回動操作しても、第１の操作ノブ１０は移動せず、シート前後用操作子３、座部前部上下用操作子４および座部後部上下用操作子５は、操作されず、元の位置のままである。
【００２３】
背もたれ部の角度調整が終了したら、上述とは逆の手順で、まず、第２の操作ノブ１６を起立方向へ回動させて、背もたれ部角度調整用操作子６に対する嵌合穴２０の嵌合を外す。そして、第２の操作ノブ１６を、第１の回転軸１５を中心に回動させるとともに、収容部１４側へ倒すように回動させ、図１および図２に示すように、第２の操作ノブ１６を、収容部１４に収容して退避位置に位置させておく。
【００２４】
上記した実施形態によれば、パワーシートスイッチの操作装置において、第１の操作ノブ１０および第２の操作ノブ１６を備えたものでありながら、第２の操作ノブ１６を退避位置に位置させた状態では、第２の操作ノブ１６は第１の操作ノブ１０の収容部１４に収容された形態となり、見掛け上、操作ノブを一つにすることができ、見掛けをすっきりさせることが可能となる。
【符号の説明】
【００２５】
図面中、３はシート前後用操作子、４は座部前部上下用操作子、５は座部後部上下用操作子、６は背もたれ部角度調整用操作子、１０は第１の操作ノブ、１４は収容部、１５は第１の回転軸、１６は第２の操作ノブ、１８は第２の回転軸、１９は連結部、２０は嵌合穴（嵌合部）を示す。
【図１】
2011255756.tif 000003
【図２】
2011255756.tif 000004
【図３】
2011255756.tif 000005